(57)【要約】【課題】なるべく低減対象以外の信号には影響を与えないで、低減対象部分を低減することができるようにする。【解決手段】入力映像信号を低域成分と高域成分とに分ける。分割された入力映像信号の高域成分を大振幅部分と小振幅部分とに分ける。分けられた小振幅部分について、信号低減領域・低減量検出手段で求められた信号低減量に応じた信号量だけ出力信号量を低減させる。信号低減領域・低減量検出手段は、入力映像信号のエッジを検出し、当該エッジの前後の信号低減量を求める。分割された大振幅部分と、入力映像信号の低域成分と、信号低減された入力映像信号の高域成分の小振幅部分とを混合して、出力映像信号とする。【選択図】図１
2005175743.tif 000002
【特許請求の範囲】
【請求項１】
入力映像信号を低域成分と高域成分とに分ける第１の分割手段と、
前記入力映像信号から、前記入力映像信号のエッジ部の前後の信号低減領域および信号低減量に応じた検出出力を算出する信号低減領域・低減量検出手段と、
前記第１の分割手段により分割された前記入力映像信号の高域成分を大振幅部分と小振幅部分とに分ける第２の分割手段と、
前記第２の分割手段からの前記小振幅部分を、前記信号低減領域・低減量検出手段の検出出力に応じて低減処理する小振幅部分出力制御手段と、
前記第２の分割手段で分割された前記入力映像信号の高域成分の大振幅部分と、前記小振幅部分出力制御手段からの前記入力映像信号の高域成分の小振幅部分と、前記入力映像信号の低域成分とを混合する混合手段と、
を備えることを特徴とする映像信号処理装置。
【請求項２】
請求項１に記載の映像信号処理装置において、
前記第２の分割手段は、前記入力映像信号の高域成分の小振幅部分を抽出するための入出力特性が非線形な非線形手段を備え、
前記信号低減領域・低減量検出手段で求められた前記信号低減量に応じて前記非線形手段が制御されて、信号低減量が大きいほど、前記非線形手段から、大振幅の信号が、より出力される
ことを特徴とする映像信号処理装置。
【請求項３】
入力映像信号を低域成分と高域成分とに分ける帯域分割手段と、
前記帯域分割手段により分割された前記入力映像信号の高域成分に対して、そのうちの少なくとも小振幅部分を低減するようにする信号低減手段と、
前記信号低減手段からの前記入力映像信号の高域成分と、前記入力映像信号の低域成分とを混合する第１の混合手段と
を備える映像信号処理装置において、
前記入力映像信号は、デジタル信号であると共に、
前記帯域分割手段は、減衰特性が急峻でタップ数が多い第１のデジタルフィルタと、減衰特性が第１のデジタルフィルタよりは緩慢でタップ数が少ない第２のデジタルフィルタとを備えると共に、前記第１のデジタルフィルタの出力と、前記第２のデジタルフィルタの出力とを混合する第２の混合手段を備える
ことを特徴とする映像信号処理装置。
【請求項４】
請求項３に記載の映像信号処理装置において、
前記入力映像信号のレベルが平坦なときほど、前記第２の混合手段における前記第２のデジタルフィルタの出力の混合割合を大きくする
ことを特徴とする映像信号処理装置。
【請求項５】
入力映像信号を低域成分と高域成分とに分ける帯域分割手段と、
前記入力映像信号から、前記入力映像信号のエッジ部の前後の信号低減領域および信号低減量に応じた検出出力を算出する信号低減領域・低減量検出手段と、
前記帯域分割手段により分割された前記入力映像信号の高域成分に対して、そのうちの少なくとも小振幅部分を、前記信号低減領域・低減量検出手段の検出出力に応じて低減処理する信号低減手段と、
前記信号低減手段からの前記高域成分と、前記入力映像信号の低域成分とを合成する混合手段と
を備える映像信号処理装置において、
前記信号低減領域・低減量検出手段は、
前記入力映像信号の高域成分を抽出するためのハイパスフィルタと、
前記ハイパスフィルタの出力信号の絶対値を求める絶対値化手段と、
前記絶対値化手段の出力の低域成分を抽出する第１のローパスフィルタと、
前記第１のローパスフィルタの出力を第１の所定量だけ遅延させた位置を注目信号位置として、前記第１のローパスフィルタの出力を前記第１の所定量よりも小さい量だけ遅延させることにより、前記注目信号位置よりも前の時点の第１の出力を得ると共に、前記第１のローパスフィルタの出力を前記第１の所定量よりも大きい量遅延させることにより、前記注目信号位置よりも後の時点の第２の出力を得る手段と、
前記第１の出力と前記第２の出力とが入力信号として供給され、前記入力信号の最大値を出力する最大値出力手段と、
を備え、前記最大値出力手段の出力に基づいて、前記信号低減領域および信号低減量に応じた検出出力を生成する
ことを特徴とする映像信号処理装置。
【請求項６】
請求項５に記載の映像信号処理装置において、
前記最大値出力手段の出力を、前記絶対値化手段の出力の低域成分を前記第１の所定量だけ遅延させたもので割り算する割り算手段を備え、
前記割り算手段の出力に基づいて、前記信号低減領域および信号低減量に応じた検出出力を生成する
ことを特徴とする映像信号処理装置。
【請求項７】
請求項５に記載の映像信号処理装置において、
前記絶対値化手段の出力の低域成分を抽出する第２のローパスフィルタと、
前記最大値算出手段の出力を、前記第２のローパスフィルタの出力を前記第１の所定量だけ遅延させたもので割り算する割り算手段と、
前記第１のローパスフィルタの前段に設けられ、入出力特性が、入力信号の小振幅および中振幅の領域において、線形の場合よりも持ち下がった非線形特性の第１の非線形処理手段と、
前記第２のローパスフィルタの前段に設けられ、入出力特性が、入力信号の小振幅および中振幅の領域において、線形の場合よりも持ち上がった非線形特性の第２の非線形処理手段と、
を備えることを特徴とする映像信号処理装置。
【請求項８】
請求項５に記載の映像信号処理装置において、
前記第１の出力および前記第２の出力のそれぞれは、前記第１のローパスフィルタの出力を、異なる遅延量ずつ遅延させた複数の遅延出力からなると共に、
前記複数の遅延出力のうちの、前記注目信号位置から遠い方の出力ほど、その出力レベルを下げるようにする
ことを特徴とする映像信号処理装置。
【請求項９】
入力映像信号を低域成分と高域成分とに分ける第１の分割ステップと、
前記入力映像信号から、前記入力映像信号のエッジ部の前後の信号低減領域および信号低減量に応じた検出出力を算出する信号低減領域・低減量検出ステップと、
前記第１の分割ステップにより分割された前記入力映像信号の高域成分を大振幅部分と小振幅部分とに分ける第２の分割ステップと、
前記第２の分割ステップで分けられた前記小振幅部分を、前記信号低減領域・低減量検出手段の検出出力に応じて低減処理する小振幅部分出力制御ステップと、
前記第２の分割ステップで分割された前記入力映像信号の高域成分の大振幅部分と、前記小振幅部分出力制御ステップで出力制御された前記入力映像信号の高域成分の小振幅部分と、前記入力映像信号の低域成分とを混合する混合ステップと、
を備えることを特徴とする映像信号処理方法。
【請求項１０】
請求項９に記載の映像信号処理方法において、
前記第２の分割ステップでは、前記入力映像信号の高域成分の小振幅部分を抽出するために入出力特性が非線形特性である非線形処理を行ない、
前記信号低減領域・低減量検出ステップで求められた前記信号低減量に応じて前記非線形特性が制御されて、信号低減量が大きいほど、大振幅の信号が、より出力されるようにする
ことを特徴とする映像信号処理方法。
【請求項１１】
入力映像信号を低域成分と高域成分とに分ける帯域分割ステップと、
前記帯域分割ステップにおいて分割された前記入力映像信号の高域成分に対して、そのうちの少なくとも小振幅部分を低減するようにする信号低減ステップと、
前記信号低減ステップから得られる前記入力映像信号の高域成分と、前記入力映像信号の低域成分とを混合する第１の混合ステップと
を備える映像信号処理方法において、
前記入力映像信号は、デジタル信号であると共に、
前記帯域分割ステップでは、減衰特性が急峻でタップ数が多い第１のデジタルフィルタと、減衰特性が第１のデジタルフィルタよりは緩慢でタップ数が少ない第２のデジタルフィルタとを用いると共に、前記第１のデジタルフィルタの出力と、前記第２のデジタルフィルタの出力とを混合する第２の混合ステップを備える
ことを特徴とする映像信号処理方法。
【請求項１２】
請求項１１に記載の映像信号処理方法において、
前記入力映像信号のレベルが平坦なときほど、前記第２の混合ステップにおける前記第２のデジタルフィルタの出力の混合割合を大きくする
ことを特徴とする映像信号処理方法。
【請求項１３】
入力映像信号を低域成分と高域成分とに分ける帯域分割ステップと、
前記入力映像信号から、前記入力映像信号のエッジ部の前後の信号低減領域および信号低減量に応じた検出出力を算出する信号低減領域・低減量検出ステップと、
前記帯域分割ステップにより分割された前記入力映像信号の高域成分に対して、そのうちの少なくとも小振幅部分を、前記信号低減領域・低減量検出ステップで求められた前記検出出力に応じて低減処理する信号低減ステップと、
前記信号低減ステップで得られた前記入力映像信号の高域成分と、前記入力映像信号の低域成分とを混合する混合ステップと
を備える映像信号処理方法において、
前記信号低減領域・低減量検出ステップは、
前記入力映像信号の高域成分を抽出する高域成分抽出ステップと、
前記高域成分抽出ステップで得られた高域成分出力の絶対値を求める絶対値化ステップと、
前記絶対値化ステップの出力の低域成分を抽出する第１の低域成分抽出ステップと、
前記第１の低域成分抽出ステップで得られた前記低域成分出力を第１の所定量だけ遅延させた位置を注目信号位置として、前記第１の低域成分抽出ステップで得られた低域成分出力を前記第１の所定量よりも小さい量だけ遅延させることにより、前記注目信号位置よりも前の時点の第１の出力を得ると共に、前記第１の低域成分抽出ステップで得られた低域成分出力を前記第１の所定量よりも大きい量遅延させることにより、前記注目信号位置よりも後の時点の第２の出力を得るステップと、
前記第１の出力と前記第２の出力とを入力信号として、その最大値を出力する最大値出力ステップと、
を備え、前記最大値出力ステップの出力に基づいて、前記信号低減領域および信号低減量に応じた検出出力を生成する
ことを特徴とする映像信号処理方法。
【請求項１４】
請求項１３に記載の映像信号処理方法において、
前記最大値出力ステップの出力を、前記絶対値化ステップの出力の低域成分を前記第１の所定量だけ遅延させたもので割り算する割り算ステップを備え、
前記割り算ステップの出力に基づいて、前記信号低減領域および信号低減量に応じた検出出力を生成する
ことを特徴とする映像信号処理方法。
【請求項１５】
請求項１３に記載の映像信号処理方法において、
前記絶対値化ステップの出力の低域成分を抽出する第２の低域成分抽出ステップと、
前記最大値算出ステップの出力を、前記第２の低域成分抽出ステップの出力を前記第１の所定量だけ遅延させたもので割り算する割り算ステップと、
前記第１の低域成分抽出ステップの前に行なわれ、入出力特性が、入力信号の小振幅および中振幅の領域において、線形の場合よりも持ち下がった非線形特性の処理を行なう第１の非線形処理ステップと、
前記第２の低域成分抽出ステップの前に行なわれ、入出力特性が、入力信号の小振幅および中振幅の領域において、線形の場合よりも持ち上がった非線形特性の処理を行なう第２の非線形処理ステップと、
を備えることを特徴とする映像信号処理方法。
【請求項１６】
請求項１３に記載の映像信号処理装置において、
前記第１の出力および前記第２の出力のそれぞれは、前記第１の低域成分抽出ステップの出力を、異なる遅延量ずつ遅延させた複数の出力からなると共に、
前記複数の出力のうちの、前記注目信号位置から遠い方の出力ほど、その出力レベルを下げるようにする
ことを特徴とする映像信号処理方法。
【請求項１７】
入力映像信号のエッジ部近傍のノイズを低減処理するために、コンピュータを、
前記入力映像信号を低域成分と高域成分とに分ける第１の分割手段、
前記入力映像信号から、前記入力映像信号のエッジ部の前後の信号低減領域および信号低減量に応じた検出出力を算出する信号低減領域・低減量検出手段と、
前記第１の分割手段により分割された前記入力映像信号の高域成分を大振幅部分と小振幅部分とに分ける第２の分割手段、
前記第２の分割手段からの前記小振幅部分を、前記信号低減領域・低減量検出手段の検出出力に応じて低減処理する小振幅部分出力制御手段と、
前記第２の分割手段で分割された前記入力映像信号の高域成分の大振幅部分と、前記小振幅部分出力制御手段からの前記入力映像信号の高域成分の小振幅部分と、前記入力映像信号の低域成分とを混合する混合手段と、
として機能させるための映像信号処理プログラム。
【請求項１８】
請求項１７に記載の映像信号処理プログラムにおいて、
前記第２の分割手段は、前記入力映像信号の高域成分の小振幅部分を抽出するための入出力特性が非線形な非線形手段を備え、
前記信号低減領域・低減量検出手段で求められた前記信号低減量に応じて前記非線形手段が制御されて、信号低減量が大きいほど、前記非線形手段から、大振幅の信号が、より出力される
ことを特徴とする映像信号処理プログラム。
【請求項１９】
入力映像信号のエッジ部近傍のノイズを低減処理するために、コンピュータを、
減衰特性が急峻でタップ数が多い第１のデジタルフィルタ手段の出力と、減衰特性が第１のデジタルフィルタ手段よりは緩慢でタップ数が少ない第２のデジタルフィルタ手段の出力とを混合する第１の混合手段を含み、前記入力映像信号を低域成分と高域成分とに分ける帯域分割手段、
前記帯域分割手段により分割された前記入力映像信号の高域成分に対して、そのうちの少なくとも小振幅部分の信号量を低減するようにする信号低減手段、
前記信号低減手段からの前記入力映像信号の高域成分と、前記入力映像信号の低域成分とを混合する第２の混合手段
として機能させるための映像信号処理プログラム。
【請求項２０】
請求項１９に記載の映像信号処理プログラムにおいて、
前記入力映像信号のレベルが平坦なときほど、前記第１の混合手段における前記第２のデジタルフィルタの出力の混合割合を大きくする
ことを特徴とする映像信号処理プログラム。
【請求項２１】
入力映像信号のエッジ部近傍のノイズを低減処理するために、コンピュータを、
前記入力映像信号を低域成分と高域成分とに分ける帯域分割手段、
前記入力映像信号から、前記入力映像信号のエッジ部の前後の信号低減領域および信号低減量に応じた検出出力を算出する信号低減領域・低減量検出手段と、
前記帯域分割手段により分割された前記入力映像信号の高域成分に対して、そのうちの少なくとも小振幅部分を、前記信号低減領域・低減量検出手段の検出出力に応じて低減処理する信号低減手段と、
前記信号低減手段からの前記高域成分、前記入力映像信号の低域成分とを混合する混合手段、
として機能させるための映像信号処理プログラムにおいて、
前記信号低減領域・低減量検出手段は、
前記入力映像信号の高域成分を抽出するためのハイパスフィルタ手段、
前記ハイパスフィルタの出力信号の絶対値を求める絶対値化手段、
前記絶対値化手段の出力の低域成分を抽出する第１のローパスフィルタ手段、
前記第１のローパスフィルタ手段の出力を第１の所定量だけ遅延させた位置を注目信号位置として、前記第１のローパスフィルタ手段の出力を前記第１の所定量よりも小さい量だけ遅延させることにより、前記注目信号位置よりも前の時点の第１の出力を得ると共に、前記第１のローパスフィルタ手段の出力を前記第１の所定量よりも大きい量遅延させることにより、前記注目信号位置よりも後の時点の第２の出力を得る手段、
前記第１の出力と前記第２の出力とが入力信号として供給され、前記入力信号の最大値を出力する最大値出力手段と、
を備え、前記最大値出力手段の出力に基づいて、前記信号低減領域および信号低減量に応じた検出出力を生成する
ことを特徴とする映像信号処理プログラム。
【請求項２２】
請求項２１に記載の映像信号処理プログラムにおいて、
前記最大値算出手段の出力を、前記絶対値化手段の出力の低域成分を前記第１の所定量だけ遅延させたもので割り算する割り算手段として機能する処理プログラムを含み、
前記割り算手段の出力に基づいて、前記信号低減領域および信号低減量に応じた検出出力を生成する
ことを特徴とする映像信号処理プログラム。
【請求項２３】
請求項２１に記載の映像信号処理プログラムにおいて、
前記絶対値化手段の出力の低域成分を抽出する第２のローパスフィルタ手段、
前記最大値算出手段の出力を、前記第２のローパスフィルタ手段の出力を前記第１の所定量だけ遅延させたもので割り算する割り算手段、
前記第１のローパスフィルタ手段の前段に設けられ、入出力特性が、入力信号の小振幅および中振幅の領域において、線形の場合よりも持ち下がった非線形特性の第１の非線形処理手段、
前記第２のローパスフィルタ手段の前段に設けられ、入出力特性が、入力信号の小振幅および中振幅の領域において、線形の場合よりも持ち上がった非線形特性の第２の非線形処理手段、
として機能する処理プログラムを含むことを特徴とする映像信号処理プログラム。
【請求項２４】
請求項２１に記載の映像信号処理プログラムにおいて、
前記第１の出力および前記第２の出力のそれぞれは、前記第１のローパスフィルタ手段の出力を、異なる遅延量ずつ遅延させた複数の出力からなると共に、
前記複数の出力のうちの、前記注目信号位置から遠い方の出力ほど、その出力レベルを下げるようにする
ことを特徴とする映像信号処理プログラム。
【発明の詳細な説明】
【技術分野】
【０００１】
この発明は、映像信号のエッジ部の近傍に存在する例えばリンギングやモスキートノイズなどのノイズを除去するための映像信号処理装置、映像信号処理方法および映像信号処理プログラムに関する。
【背景技術】
【０００２】
テレビジョン受信機において受信され、映像検波されて得られる、例えばＮＴＳＣ（Ｎａｔｉｏｎａｌ  Ｔｅｌｅｖｉｓｉｏｎ  Ｓｙｓｔｅｍ  Ｃｏｍｍｉｔｔｅｅ）信号などの映像信号は、例えば音声信号成分を除去するためのフィルタの特性が急峻であるため等の理由により、図２１に示すように、映像信号のエッジ部分１の前後に、リンギング２が多く発生し、エッジ部分１の前後が図２１のように平坦である場合に、当該リンギングが画面上で目に付き、画質を劣化させる原因となる。
【０００３】
従来から、この映像信号のエッジ部分近傍のリンギング等を低減するための発明が種々提案されている。例えば特許文献１（特開平５−１８３７７８号公報）には、その一例の映像信号補償回路が記載されている。
【０００４】
この特許文献１に記載の映像信号補償回路は、図２２に示すような構成を備えている。この図２２の構成は、リンギングが生じている入力映像信号のエッジ部近傍では、入力映像信号はローパスフィルタを通したものとして、リンギングを平滑して目立たなくするようにするものである。
【０００５】
すなわち、図２２に示すように、入力端１１を通じて入力された入力映像信号Ｖｉは、そのまま混合回路１２に供給されると共に、ローパスフィルタ１３を通じて混合回路１２に供給される。
【０００６】
また、入力映像信号Ｖｉは、リンギング検出回路１４に供給される。このリンギング検出回路１４では、入力映像信号Ｖｉから図２１に示したエッジ部分１を検出し、この検出出力に基づいて、リンギング２が存在しているであろうところの、当該エッジ部分１の前側部分と、エッジ部分１の後側部分とを固定的にリンギング低減区間として検出する。そして、リンギング検出回路１４は、このリンギング低減区間において、検出したエッジ部のレベル（レベル差）に応じた低減量α（α＜１）を混合回路１２に出力する。
【０００７】
混合回路１２では、低減量αに応じた割合で、入力映像信号Ｖｉと、ローパスフィルタ１２からの映像信号ＶＬｉとを混合する。この場合、混合回路１２では、
Ｖｉ×（１−α）＋ＶＬｉ×α
で表わされる混合を行なう。
【０００８】
リンギング検出回路１４は、エッジ部分以外のリンギングがない部分では、低減量αとしてはα＝０を出力すると共に、リンギング低減区間とするエッジ部分の前側部分と、エッジ部分の後側部分とでは、検出したエッジ部のレベルに応じた低減量αを出力する。
【０００９】
混合回路１２では、低減量α＝０であれば、信号低減は行なわれず、入力映像信号Ｖｉは、そのまま出力端１５を通じて出力されて出力映像信号Ｖｏとされる。そして、低減量αが０でなければ、混合回路１２では、当該低減量αの値に応じた割合で、入力映像信号Ｖｉと、ローパスフィルタ１３からの映像信号ＶＬｉとが混合されて、出力映像信号Ｖｏとされる。したがって、出力映像信号Ｖｏは、エッジ部の大きさに応じてリンギングが低減されたものとなる。
【００１０】
上記の特許文献および非特許文献は、次の通りである。
【特許文献１】特開平５−１８３７７８号公報
【発明の開示】
【発明が解決しようとする課題】
【００１１】
しかしながら、上述した従来のリンギング低減装置においては、ローパスフィルタにより平滑化した信号と、ローパスフィルタを通らない信号とを、リンギング検出回路１４からの信号低減量に応じて単純に混合するように構成されている。
【００１２】
ところで、リンギング等は、図２１に示したように、一般に小振幅であり、大振幅のエッジ等の信号部分にはリンギングは生じないし、あっても目立たない。
【００１３】
しかしながら、図２１の従来のリンギング低減装置では、信号を大振幅部分と小振幅部分とに分けることなく、ローパスフィルタを通した信号を、入力映像信号Ｖｉと混合するようにしている。このため、大振幅の信号にもローパスフィルタがかかり、出力画像がボケてしまう。すなわち、従来の装置では、リンギングではないところにもローパスフィルタがかかってしまうことになり、この結果、出力画像がボケてしまうという問題がある。
【００１４】
この発明は、以上の点にかんがみ、なるべく低減対象以外の信号には影響を与えないで、低減対象部分を低減することができるようにすることを目的とする。
【課題を解決するための手段】
【００１５】
上記の課題を解決するために、請求項１の発明においては、
前記入力映像信号から、前記入力映像信号のエッジ部の前後の信号低減領域および信号低減量に応じた検出出力を算出する信号低減領域・低減量検出手段と、
前記第１の分割手段により分割された前記入力映像信号の高域成分を大振幅部分と小振幅部分とに分ける第２の分割手段と、
前記第２の分割手段からの前記小振幅部分を、前記信号低減領域・低減量検出手段の検出出力に応じて低減処理する小振幅部分出力制御手段と、
前記第２の分割手段で分割された前記入力映像信号の高域成分の大振幅部分と、前記小振幅部分出力制御手段からの前記入力映像信号の高域成分の小振幅部分と、前記入力映像信号の低域成分とを混合する混合手段と、
を備えることを特徴とする映像信号処理装置を提供する。
【００１６】
この請求項１の発明によれば、入力映像信号は低域成分と高域成分とに分けられ、さらに、分割後の高域成分が大振幅部分と小振幅部分とに分けられる。そして、小振幅部分のみについて、信号低減領域・低減量検出手段で求められた信号低減量に応じた信号レベル低減が行われる。
【００１７】
したがって、この請求項１の発明によれば、入力映像信号の高域成分のうち、大振幅部分は低減されず、小振幅部分が信号低減領域・低減量検出手段で検出された信号低減量に応じて低減されるので、例えばリンギングとして低減したい部分のみについて低減が可能となり、画像の劣化を最小限に抑えることができる。
【発明の効果】
【００１８】
この発明によれば、入力映像信号のうちの、低減したいリンギングやモスキートノイズなどの部分のみを有効に低減することができるので、画像の劣化を最小限に抑えることができる。
【発明を実施するための最良の形態】
【００１９】
以下、この発明による映像信号処理装置および方法の実施形態を、図を参照しながら説明する。
【００２０】
図１は、実施形態の映像信号処理装置の全体の構成を示すブロックであり、この例は、入力映像信号のエッジ部の前後に存在するリンギングを低減する場合の例である。
【００２１】
入力映像信号Ｖｉは、入力端２１を通じて第１の分割手段を構成する帯域分割回路２２および信号低減領域・低減量検出回路５０に供給される。
【００２２】
信号低減領域・低減量検出回路５０は、後で詳述するように、入力映像信号Ｖｉのエッジ部分を検出し、その検出したエッジ部分の前後の所定領域を信号低減領域とすると共に、検出したエッジ部分に基づいて検出される信号低減量に応じた検出出力αを出力する。すなわち、信号低減領域・低減量検出回路５０は、前述の図２１に示したように、エッジ部分の前後のリンギングが存在するであろう区間を信号低減領域とするようにすると共に、エッジ部分の大きさに応じたリンギングが生じるであろうと推定して、当該エッジ部分の大きさに対応した信号低減量となるように、検出出力αを生成して出力する。
【００２３】
帯域分割回路２２は、高域成分抽出回路３０と、減算回路３１とからなる。高域成分抽出回路３０は、入力映像信号Ｖｉから、その高域成分ＶＨｉを抽出する。減算回路３１は、入力映像信号Ｖｉから、高域成分抽出回路３０からの高域成分ＶＨｉを減算して、入力映像信号の低域成分ＶＬｉを抽出する。帯域分割回路２２を、この例のように高域成分抽出回路３０と減算回路３１とで構成するのは、リンギングが生じるのはエッジ部分であって、高域においてであり、そのため、後述するように高域成分について信号低減することにより、リンギングの低減が図れるからである。
【００２４】
帯域分割回路２２からの低域成分ＶＬｉは、混合回路２７に供給され、高域成分ＶＨｉは、第２の分割手段を構成する振幅分割回路２３に供給される。
【００２５】
振幅分割回路２３は、小振幅部分抽出回路４０と、減算回路４１とからなる。小振幅部分抽出回路４０は、入出力特性が、図２に示すような非線形特性の非線形変換回路により構成されており、入力映像信号Ｖｉの高域成分ＶＨｉのうちの、小振幅部分ＳＶＨｉのみを抽出する。減算回路４１は、入力映像信号Ｖｉの高域成分ＶＨｉから、小振幅部分抽出回路４０からの小振幅部分出力ＳＶＨｉを減算して、入力映像信号Ｖｉの高域成分ＶＨｉの大振幅部分ＢＶＨｉを出力する。
【００２６】
小振幅部分抽出回路４０は、図２に示すように、入出力の非線形特性により、入力映像信号Ｖｉの高域成分ＶＨｉが小振幅のときには、それに比例した出力信号を出力するが、入力映像信号Ｖｉの高域成分ＶＨｉが大振幅のときには、出力を零とするものである。そして、この実施形態では、後述するように、小振幅部分抽出回路４０の非線形特性は、信号低減領域・低減量検出回路５０からの入力映像信号のエッジの前後の信号低減領域および信号低減量に応じた検出出力αに応じて、出力する小振幅部分の最大振幅値が制御されるように構成されている。
【００２７】
すなわち、小振幅部分抽出回路４０では、検出出力αが小さいときには、図２（Ａ）に示すように、出力する小振幅部分の最大振幅値は小さくされ、検出出力αが大きいときには、図２（Ａ）に示すように、出力する小振幅部分の最大振幅値は大きくされる。つまり、小振幅部分抽出回路４０から出力される大振幅部分の量が、信号低減領域・低減量検出回路５０の検出出力αに応じて制御され、検出出力αが大きいほど、小振幅部分抽出回路４０から、より大振幅の成分が出力されるように制御される。
【００２８】
これは、検出出力αが小さいときには、リンギングが少ないので、小振幅部分として検出する信号の最大振幅は小さくても良いが、検出出力αが大きいときには、よりリンギングの低減量を多くするほうが良いためである。
【００２９】
振幅分割回路２３から得られた入力映像信号の高域成分ＶＨｉの大振幅部分ＢＶＨｉは、この例では、出力制御回路２４を通じて混合回路２７に供給されて、帯域分割回路２２からの入力映像信号の低域成分ＶＬｉと混合される。また、振幅分割回路２３から得られた入力映像信号の高域成分ＶＨｉの小振幅部分ＳＶＨｉは、出力制御回路２５を通じて混合回路２８に供給されて、混合回路２７の出力信号と混合される。図１の例では、混合回路２７が混合回路２８の前段に設けられているが、混合回路２８が混合回路２７の前段に設けられていても良く、また、混合回路２７と２８とを一つにまとめても良い。
【００３０】
出力制御回路２５は、信号低減領域・低減量検出回路５０の検出出力αに応じて、入力映像信号の高域成分ＶＨｉの小振幅部分ＳＶＨｉを低減するようにする。したがって、検出出力αが大きいほど、入力映像信号の高域成分ＶＨｉの小振幅部分ＳＶＨｉの低減量は大きくなるものである。そして、この出力制御回路２５の出力が混合回路２８に供給され、混合回路２７からの信号に混合される。
【００３１】
この例においては、振幅分割回路２３からの大振幅部分ＢＶＨｉについても、出力制御回路２４において、信号低減領域・低減量検出回路５０の検出出力αに応じて出力低減されるが、その低減量は、小振幅成分ＳＶＨｉに比べて１／ｍ（ｍ＞１）となるように、前記検出出力αは、１／ｍ回路２６を通じて、出力制御回路２４に供給されている。そして、この出力制御回路２４の出力が混合回路２７に供給されて、入力映像信号の低域成分ＶＬｉに混合される。
【００３２】
なお、出力制御回路２４および１／ｍ回路２６を設けずに、振幅分割回路２３からの大振幅部分ＢＶＨｉをそのまま混合回路２７に供給して、入力映像信号の低域成分ＶＬｉに混合するようにしても良い。
【００３３】
そして、この実施形態では、混合回路２８の出力として、出力映像信号Ｖｏが得られ、出力端２９を通じて次段に出力される。
【００３４】
この実施形態の映像信号処理装置は、以上のような構成を備え、入力映像信号の高域成分のうち、大振幅部分は低減せず、小振幅部分が信号低減領域・低減量検出回路５０で検出された信号低減量に応じて低減されるので、例えばリンギングが生じている部分のみについて低減が可能となり、画像の劣化を最小限に抑えることができる。
【００３５】
そして、この実施形態では、高域成分抽出回路３０および信号低減領域・低減量検出回路５０が以下に説明するように構成されることにより、より低減したい信号部分を良好に低減処理することができるので、画像の劣化をさらに抑えることができる。
【００３６】
［実施形態の映像信号処理装置の、より詳細な構成］
図１の構成は、アナログ回路としても構成することもできるが、この実施形態では、デジタル回路として構成されている。したがって、入力映像信号Ｖｉは、標本化周波数が１３．５ＭＨｚのデジタル映像信号とされており、帯域分割回路２２の高域成分抽出回路３０には、デジタルフィルタが用いられたハイパスフィルタが用いられる。この場合、デジタルフィルタとしては、ＦＩＲ（Ｆｉｎｉｔｅ  Ｉｍｐｕｌｓｅ  Ｒｅｓｐｏｎｓｅ）型のもの、あるいは、ＩＩＲ（Ｉｎｆｉｎｉｔｅ  Ｉｍｐｕｌｓｅ  Ｒｅｓｐｏｎｓｅ）型のものの、いずれでも使用可能である。
【００３７】
図３は、ＦＩＲ型のデジタルフィルタの構成例を示すもので、入力信号に対して直列に接続される複数個の１サンプル遅延回路６１と、入力信号および各遅延回路６１の出力信号に係数を乗算する複数個の係数乗算回路６２と、複数個の係数乗算回路６２の出力の総和を算出する総和算出回路６３とで構成され、総和算出回路６３から出力信号が出力される。そして、このデジタルフィルタは、タップ数（遅延回路６１の数＋１）および複数個の係数乗算回路６２で乗算するフィルタ係数Ｗ０、Ｗ１、Ｗ２・・・Ｗ（ｎ−２）、Ｗ（ｎ−１）（ｎは、タップ数）を設定することにより、所望の特性のフィルタを構成することができる。
【００３８】
前述したように、帯域分割回路２２は、高域成分抽出回路３０と減算回路３１とによって、ローパスフィルタを構成している。このため、高域成分抽出回路３０としてのハイパスフィルタの特性は、そのまま入力映像信号Ｖｉの低域成分を抽出するローパスフィルタの特性に影響する。
【００３９】
そして、この実施形態では、なるべくリンギング以外の信号はローパスフィルタによりぼかさないで、リンギングのみを平滑化するようにするために、高域成分抽出回路３０としてのハイパスフィルタの特性は、例えば図４（Ａ）に示すように、カットオフ周波数が高く、減衰特性が急峻なものとすることが望ましい。このようなハイパスフィルタの特性は、タップ数の多いデジタルフィルタで構成できる。
【００４０】
しかしながら、このようなタップ数の多いデジタルフィルタを用いて、高域成分抽出回路３０としてのハイパスフィルタを構成すると、タップ数が多いために、注目サンプルデータの近傍のサンプルデータの影響を受ける。このため、信号のエッジが近くに存在すると、減算回路３１からのローパスフィルタ出力には、エッジ近傍の平坦な信号部分に、でこぼこが発生する。
【００４１】
例えば、図５（Ａ）に示すような信号のエッジ部分を、タップ数の多いハイパスフィルタと減算回路からなるローパスフィルタに通すと、図５（Ｂ）に示すように、エッジ部の前後の平坦部のエッジ部近傍に、でこぼこ６４が生じてしまう。これに対して、タップ数の少ないデジタルフィルタの場合には、カットオフ周波数が低くなると共に、図４（Ｂ）に示すように緩慢な減衰特性となるが、タップ数が少ないため、図５（Ｃ）に示すように、エッジ部の前後の平坦部には、でこぼこは生じない。
【００４２】
＜帯域分割回路２２の構成＞
以上のことを考慮して、この実施形態では、帯域分割回路２２の高域成分抽出回路３０は、図６に示すような構成としている。
【００４３】
すなわち、この実施形態では、タップ数の多いデジタルフィルタからなる第１のハイパスフィルタ３０１と、タップ数の少ないデジタルフィルタからなる第２のハイパスフィルタ３０２とを設け、入力映像信号Ｖｉをそれぞれのハイパスフィルタ３０１および３０２に供給するようにする。そして、これらハイパスフィルタ３０１および３０２の出力は、それぞれ出力制御回路３０３および３０４を通じて混合回路３０５に供給する。そして、この混合回路３０５からの混合出力を、高域成分抽出回路３０の出力とする。
【００４４】
この例の場合、第１のハイパスフィルタ３０１は、例えば９タップのデジタルフィルタが用いられ、そのフィルタ係数Ｗ１〜Ｗ９としては、図７に示すようなものとされている。また、第２のハイパスフィルタ３０２は、例えば３タップのデジタルフィルタが用いられ、そのフィルタ係数Ｗ１〜Ｗ３としては、図８に示すようなものとされている。
【００４５】
なお、前述した図４（Ａ）の特性は、ハイパスフィルタ３０１のものであり、図４（Ｂ）の特性は、ハイパスフィルタ３０２のものである。
【００４６】
また、この例では、高域成分抽出回路３０には、入力映像信号Ｖｉの平坦部を検出する平坦部検出回路３０６を設ける。この例では、この平坦部検出回路３０６は、注目サンプル位置よりも前側（進み位相側）の平坦部を検出するためのフィルタ３１１および絶対値化回路３１２と、注目サンプル位置よりも後側（遅れ位相側）の平坦部を検出するためのフィルタ３１３および絶対値化回路３１４と、絶対値化回路３１２および絶対値化回路３１４の出力の最小値を検出する最小値検出回路３１５と、最小値検出回路３１５の出力から、信号の平坦さの度合いに対応する検出出力値β（β≦１）を生成する非線形変換回路３１６とからなる。
【００４７】
この例において、フィルタ３１１および３１２は、例えば７タップのデジタルフィルタで構成され、フィルタ係数は、フィルタ３１１のそれは、図９に示すようなものとされ、また、フィルタ３１３のそれは、図１０に示すようなものとされる。
【００４８】
また、非線形変換回路３１６の入出力の非線形特性は、図１１に示すようなものとされる。すなわち、図１１に示すように、検出出力値βは、最小値検出回路３１５で検出した最小値が第１の所定値θ１よりも小さいときには、β＝０であり、前記第１の所定値θ１よりも大きくなると、入力値に応じたものとなる。そして、最小値検出回路３１５で検出した最小値が第２の所定値θ２よりも大きくなると、検出出力値βは、一定とされる。
【００４９】
そして、この平坦部検出回路３０６からの信号の平坦さの度合いに対応する検出出力値βを出力制御回路３０３および３０４に供給する。そして、出力制御回路３０３では、ハイパスフィルタ３０１の出力に対して、検出出力値βを乗算したものを混合回路３０５に出力する。出力制御回路３０４では、ハイパスフィルタ３０１の出力に対して、（１−β）を乗算したものを混合回路３０５に出力する。
【００５０】
すなわち、検出出力値βが小さいとき、つまり、信号が平坦であるときには、タップ数の少ないデジタルフィルタからなるハイパスフィルタ３０２の出力をより多く含む信号を、高域成分抽出回路３０の出力とし、検出出力値βが大きく、信号が平坦ではないときには、前記でこぼこ６４は目立たないとして、タップ数の多い、本来使用したいハイパスフィルタ３０１からの出力をより多く含む信号を、高域成分抽出回路３０の出力とする。
【００５１】
したがって、この実施形態によれば、信号の平坦な部分においては、タップ数の少ないデジタルフィルタからなるハイパスフィルタ３０２の出力の混合割合が多くなって、注目サンプル位置近傍のサンプルの影響を受け難くなるので、エッジ部の前後の平坦部において、図５（Ｂ）に示したようなでこぼこ６４の発生を軽減することができる。
【００５２】
なお、上述の構成において、混合回路３０５の２つの入力信号については、デジタルフィルタのタップ数が異なることから、図示は省略したが、それぞれの入力信号について、注目サンプル位置として同期させるための遅延回路が、それぞれの系に設けられるのは言うまでもない。また、平坦部検出回路３０６や、減算回路３１の系においても、同様に、タイミング合わせのための遅延回路が設けられるが、説明の簡単のため、図示は省略してある。後述する他の回路部分についても同様である。
【００５３】
＜信号低減領域・低減量検出回路５０の詳細な構成例＞
次に、この実施形態における信号低減領域・低減量検出回路５０の詳細な構成例について説明する。この実施形態の信号低減領域・低減量検出回路５０は、対象となる入力映像信号Ｖｉに発生するリンギングの発生状況に応じて、エッジ部分からどれくらい離れた領域までを信号低減領域とするかを、容易に設定することができるような構成を備えている。そのため、この実施の形態では、例えば、対象となる入力映像信号Ｖｉに発生するリンギングの発生状況を予め調べて、その発生状況に応じて、エッジ部分からどれくらい離れた領域までを信号低減領域とするかを決定するようにしている。
【００５４】
図１２は、この実施形態における信号低減領域・低減量検出回路５０の構成例を示すブロック図である。また、図１３〜図１６は、この実施形態における信号低減領域・低減量検出回路５０の構成例の説明のための図である。以下、図１２〜図１６を参照して、この実施形態における信号低減領域・低減量検出回路５０の構成について説明する。
【００５５】
図１２に示すように、この実施形態における信号低減領域・低減量検出回路５０においては、入力映像信号（デジタル映像信号）Ｖｉは、デジタルフィルタで構成されるハイパスフィルタ５０１に供給される。この例では、このハイパスフィルタ５０１は、５タップのデジタルフィルタとされ、そのフィルタ係数は、例えば図１３に示すようなものとされている。
【００５６】
このハイパスフィルタ５０１の出力Ｓ１は、絶対値化回路５０２に供給されて絶対値化され、その絶対値化出力Ｓ２は、非線形変換回路５０３および５０４に供給される。これらの非線形変換回路５０３および５０４は、後で詳述するように、リンギングは大振幅のエッジ部分で目立ち、中振幅や小振幅のエッジ部分では目立たないので、大振幅のエッジ部分と、中振幅や小振幅のエッジ部分とで、リンギングかどうかの検出判断を変えるようにするために設けられている。
【００５７】
これら非線形回路５０３および５０４は、それぞれデジタルフィルタからなるローパスフィルタ５０５および５０６に供給される。このローパスフィルタ５０５および５０６は、この例では、共に、例えば３タップのデジタルフィルタであって、図１４に示すようなフィルタ係数とされたものが用いられている。
【００５８】
そして、ローパスフィルタ５０５の出力Ｓ３は、信号低減領域設定回路５０７に供給される。この信号低減領域設定回路５０７は、信号低減領域を設定するための複数個の遅延回路５０８〜５１２と、アンプ５１３〜５１６と、最大値検出回路５１７とからなる。
【００５９】
信号低減領域設定回路５０７では、ローパスフィルタ５０５の出力Ｓ３は、遅延回路５１０により所定遅延量ＤＬｃだけ遅延される。この例では、この遅延回路５１０の出力Ｓ４が注目サンプル位置の信号となる。そして、遅延回路５０８および５０９は、それぞれ遅延量ＤＬｃよりも小さい、異なる遅延量だけローパスフィルタ５０５の出力Ｓ３を遅延させて、注目サンプル位置の出力Ｓ４よりも前の時点の信号Ｓ５およびＳ６を得る。
【００６０】
さらに、遅延回路５１１および５１２は、遅延回路５１０の出力Ｓ４をさらに遅延することにより、それぞれ遅延量ＤＬｃよりも大きい、異なる遅延量だけローパスフィルタ５０５の出力Ｓ３を遅延させた、注目サンプル位置よりも後の時点の信号Ｓ７およびＳ８を得る。
【００６１】
この実施形態では、各遅延回路５０８〜５１２の遅延量は、例えば次のようにされている。すなわち、遅延回路５１０の遅延量ＤＬｃは１７サンプル分とされ、遅延回路５０８の遅延量は０サンプル分（遅延なし）とされ、遅延回路５０９の遅延量は８サンプル分とされる。また、遅延回路５１１の遅延量は９サンプル分とされ、遅延回路５１２の遅延量は１７サンプル分とされる。
【００６２】
したがって、この例においては、遅延回路５１０の出力Ｓ４と遅延回路５０８の出力Ｓ５とは１７サンプル分、遅延回路５１０の出力Ｓ４と遅延回路５０９の出力Ｓ６とは９サンプル分、それぞれ離れており、遅延回路５１１の遅延量は９サンプル分とされ、遅延回路５１２の遅延量は１７サンプル分とされていることから、遅延回路５１０の出力Ｓ４を中心にすると、信号Ｓ５，Ｓ６，Ｓ７，Ｓ８は、前後に同一の時間だけ異なる位置の信号となっている。
【００６３】
そして、遅延回路５０８，５０９および遅延回路５１１，５１２の出力Ｓ５，Ｓ６およびＳ７，Ｓ８が、それぞれアンプ５１３，５１４，５１５，５１６を通じて最大値検出回路５１７に供給される。最大値検出回路５１７は、各時点において、その入力信号Ｓ５，Ｓ６およびＳ７，Ｓ８の最大値を出力する。この最大値検出回路５１７の出力Ｓ９は、割り算回路５１８に供給される。
【００６４】
また、ローパスフィルタ５０６の出力が、注目サンプル位置の出力Ｓ４を得る遅延回路５１０と等しい遅延量の遅延回路５１９を通じて割り算回路５１８に供給される。遅延回路５１９は、ローパスフィルタ５０６の出力を注目サンプル位置に同期させるためのものである。
【００６５】
割り算回路５１８では、最大値検出回路５１７の出力Ｓ９を、遅延回路５１９を通じたローパスフィルタ５０６の出力で割り算するようにする。なお、割り算回路５１８では、遅延回路５１９を通じたローパスフィルタ５０６の出力の値がゼロであるときには、当該ローパスフィルタ５０６の出力の値を表現し得る最小値に置き換えて、割り算を行なうようにする。
【００６６】
前述した非線形変換回路５０３および５０４と、この割り算回路５１８での処理により、リンギングが目立つ大振幅のエッジ部分では、リンギングが検出されやすくされ、また、リンギングがあまり目立たない中振幅や小振幅のエッジ部分では、リンギングの検出感度を低くするようにしている。
【００６７】
すなわち、この実施形態においては、非線形変換回路５０３は、その入出力特性が、入力信号の小振幅および中振幅の領域において、図１５（Ａ）に示すように、破線のような線形の場合よりも、実線のように持ち下がった非線形特性を備えるものとされる。つまり、非線形変換回路５０３は、入力信号が所定のレベルθ２以下であるときには、線形の場合よりも小さい出力レベルで出力信号を出力し、入力信号が所定のレベルθ２以上であるときには、線形の場合よりも大きい出力レベルで出力信号を出力する。
【００６８】
一方、非線形変換回路５０４は、その入出力特性が、入力信号の小振幅および中振幅の領域において、図１５（Ｂ）に示すように、破線のような線形の場合よりも、実線のように持ち上がった非線形特性を備えるものである。つまり、非線形変換回路５０４は、入力信号が所定のレベルθ２以下であるときには、線形の場合よりも大きい出力レベルで出力信号を出力し、入力信号が所定のレベルθ２以上であるときには、線形の場合よりも小さい出力レベルで出力信号を出力する。
【００６９】
割り算回路５１８では、上述のように、非線形変換回路５０３の出力をローパスフィルタ５０５に通したものを、非線形回路５０４の出力をローパスフィルタ５０６に通したもので割り算しているので、割り算結果は、大振幅部分は強調されてリンギングとして検出されやすくなり、小振幅部分は、リンギングとして検出されにくくされる。
【００７０】
このことを、図１６および図１７を参照してさらに説明する。
【００７１】
すなわち、図１６（Ａ）に示すように、信号が大振幅の場合には、リンギングも大きいものとなり、一方、図１６（Ｂ）に示すように、信号が中振幅および小振幅の場合には、エッジ部分にリンギングあるいはリンギングに似た信号が生じても、それは小さいものとなり、表示画像上では目立たない。
【００７２】
非線形変換回路５０３および５０４の代わりに入出力特性が線形の回路を設けた場合には、割り算回路５１８では、信号が大振幅の場合でも、また、中振幅および小振幅の場合でも、検出出力の値は、同様となる。
【００７３】
これに対して、入出力特性が非線形の非線形変換回路５０３および５０４を設けた場合には、信号が大振幅の場合には、非線形変換回路５０３では、より大振幅で出力するようにされると共に、非線形変換回路５０４では、振幅が低減されたものとして出力される。割り算回路５１８では、非線形変換回路５０３側の信号が分子になり、非線形変換回路５０４側の信号が分母になるので、割り算結果は、図１７（Ａ）に示すように、より強調されるように検出される。
【００７４】
また、入出力特性が非線形の非線形変換回路５０３および５０４を設けた場合において、信号が中振幅および小振幅の場合には、非線形変換回路５０３では、より小振幅で出力するようにされると共に、非線形変換回路５０４では、振幅がより大振幅で出力される。したがって、割り算回路５１８での割り算結果は、図１７（Ｂ）に示すように、より小さいものとして検出される。
【００７５】
したがって、大振幅部分でのリンギングは、より検出されやすくなり、また、中振幅および小振幅部分ではリンギングの検出感度は低くなる。
【００７６】
この割り算回路５１８の出力は、リンギングを低減する期間および低減量に応じた検出出力値αを生成するための非線形変換回路５２０に供給される。この非線形変換回路５２０は、図１１に示したものと同様の入出力非線形特性を備える。すなわち、非線形変換回路５２０からの検出出力値αは、割り算回路５１８の出力が第１の所定値θ１よりも小さいときには、α＝０となり、第１の所定値θ１よりも大きくなると入力値に応じたものとなり、第２の所定値θ２よりも大きくなると、一定とされる。
【００７７】
この非線形変換回路５２０の出力は、広げ回路５２１に供給され、リンギングを低減する期間を前後に広げる処理がなされた後、信号低減領域・低減量検出回路５０の検出出力値αとして出力される。この例では、広げ回路５２１では、１サンプル分を信号低減領域として前後に広げるようにする。なお、この広げ回路５２１は、適用される入力映像信号Ｖｉによっては設けなくてもよい。
【００７８】
次に、この信号低減領域・低減量検出回路５０の動作を、各部の出力波形を示す図１８および図１９を参照しながら説明する。ここでは、信号低減領域・低減量検出回路５０に図１８（Ａ）に示すようなリンギングが乗ったエッジ部分を備える入力映像信号Ｖｉが供給された場合について説明する。
【００７９】
ハイパスフィルタ５０１では、図１８（Ａ）に示すようなエッジ部分が供給されると、その出力Ｓ１として、図１８（Ｂ）に示すように、当該エッジ部分を微分したような信号を出力する。この出力信号Ｓ１は、絶対値化回路５０２を通されて、その出力信号Ｓ２として、図１８（Ｃ）に示すような信号が得られる。なお、図１８（Ｂ）以下では、図１８（Ｋ）の波形図を除き、説明の簡単のため、リンギングは省略してある。
【００８０】
そして、非線形変換回路５０３および５０４をそれぞれ通された後、ローパスフィルタ５０５および５０６に供給され、これらローパスフィルタ５０５および５０６からは、図１８（Ｄ）に示すように絶対値化回路５０２の出力Ｓ２が平滑化された出力信号Ｓ３が得られる。
【００８１】
この図１８（Ｄ）に示す信号Ｓ３を遅延回路５１０により遅延した信号が注目サンプル位置となる出力信号Ｓ４であるので、この図１８（Ｄ）の信号を、出力Ｓ４として考えると、遅延回路５０８、５０９および５１１、５１２の出力Ｓ５，Ｓ６およびＳ７，Ｓ８は、図１８（Ｅ）、（Ｆ）および（Ｇ）、（Ｈ）に示すようなものとなる。
【００８２】
したがって、最大値検出回路５１７の出力Ｓ９は、図１８（Ｉ）に示すように、エッジ部分の前部で、出力Ｓ７，Ｓ８を合成したような信号となり、また、エッジ部分の後部で、出力Ｓ５，Ｓ６を合成したような信号となる。そして、これを広げ回路５２１で広げると、図１８（Ｊ）に示すような信号となる。
【００８３】
したがって、この図１８（Ｊ）に示した信号を検出出力値αとして、出力制御回路２４および２５に供給することにより、出力端２９からは、図１８（Ｋ）に示すように、エッジ部の前後のリンギングを低減した出力信号Ｖｏが得られる。
【００８４】
以上の説明から判るように、遅延回路５０８、５０９、５１１、５１２は、信号低減領域を生成するための回路である。そして、これら遅延回路５０８、５０９、５１１、５１２の遅延量を変更することにより、エッジ部の前後の信号低減領域をどの程度の幅にするかを容易に変更設定することができる。また、この例では、エッジ部の前後の信号低減領域をそれぞれ２個ずつの遅延回路で生成するようにしたが、その個数も、信号低減領域をどの程度の幅にするかに応じて変更して、それぞれ希望する幅の信号低減領域を生成することができる。
【００８５】
したがって、対象となる入力映像信号Ｖｉに発生するリンギングの発生状況を予め調べて、その発生状況に応じて、信号低減領域設定回路５０７を構成する遅延回路の数や遅延量を設定することにより、所期の信号低減領域を得ることができる。なお、信号低減領域は、リンギング等の発生状況に合わせて設定すればよく、エッジ部を中心として前後対象の区間でなくともよい。
【００８６】
なお、エッジ部分の前後に平坦部がないときには、リンギングがあっても目立たないので、それらの部分は、信号低減する必要はなく、前記検出出力値αは、ゼロあるいは微小な値でよい。この実施形態の信号低減領域・低減量検出回路５０では、前述の構成により、この点も考慮されている。
【００８７】
すなわち、例えば入力映像信号Ｖｉが図１９（Ａ）に示すように、エッジのみからなるような信号であった場合、ハイパスフィルタ５０１の出力Ｓ１は、図１９（Ｂ）に示すように、ほぼ入力信号がそのまま表れるような信号となる。そして、絶対値化回路５０２からは、図１９（Ｃ）に示すように、信号Ｓ１が正極性に全て折り返されたような信号Ｓ２が得られる。
【００８８】
そして、ローパスフィルタ５０５および５０６からは、図１９（Ｄ）に示すように、この高周波信号Ｓ２が平滑化されたほぼ直流の信号Ｓ３が得られる。このため、図１９（Ｅ）に示すように、最大値検出回路５１７の出力信号Ｓ９も同様にほぼ直流の信号となる。したがって、割り算回路５１８の出力は、図１９（Ｆ）に示すような微小な一定値が得られ、検出出力値αは、ほぼゼロあるいは微小値となるので、出力映像信号Ｖｏは、図１９（Ｇ）に示すように、入力映像信号Ｖｉがほぼ低減されることなく出力されたような信号となる。
【００８９】
なお、リンギングは、エッジ部から離れるにしたがって、そのレベルが小さくなるようになることを考慮して、遅延回路５０８〜５１２で生成する信号低減領域の信号は、エッジから離れるに従ってレベルが小さくなるような信号とするようにしても良い。
【００９０】
例えば、上述の信号低減領域・低減量検出回路５０において、注目サンプル位置から遠い遅延回路の出力ほど、そのレベルを低くするような重み付けをするようにする。例えば、前述の図１２の場合の例で言えば、図２０（Ａ），（Ｄ）に示すように、遅延回路５０８および５１２の出力Ｓ５，Ｓ８に対しては、そのレベルを低くするような重み付けをすると共に、遅延回路５０９および５１１の出力に対しては、図２０（Ｂ），（Ｃ）に示すように、レベルを低くしないようにする。
【００９１】
このようにすれば、最大値検出回路５１７の出力Ｓ９は、図２０（Ｅ）に示すように、エッジ部の前部および後部において、エッジ部から離れるとレベルが低くなる信号となる。なお、理想的には、図２０（Ｆ）に示すように、この出力Ｓ９を平滑化したような信号が好ましい。
【００９２】
［その他の実施形態および変形例］
なお、振幅分割回路２３では、減算回路４１において、小振幅部分抽出回路４０で抽出した小振幅部分を、高域成分抽出回路３０からの出力ＶＨｉから減算することにより、大振幅部分を得るようにしたが、減算回路４１を設けずに、高域成分抽出回路３０からの出力ＶＨｉを、大振幅部分のみを出力するようにする入出力非線形特性の非線形変換回路を通すことにより、高域成分の大振幅部分を抽出するようにしても勿論よい。
【００９３】
なお、以上の説明は、リンギングを低減する場合について説明したが、画像を例えばＭＰＥＧ（Ｍｏｖｉｎｇ  Ｐｉｃｔｕｒｅ  Ｅｘｐｅｒｔｓ  Ｇｒｏｕｐ）圧縮したときなど、信号成分が消失してしまうことが原因として、大振幅の信号の近傍の平坦部で発生するモスキートノイズを低減する場合にも、上述と同様にして、この発明による映像信号処理装置が適用可能である。
【００９４】
また、映像信号についての水平方向の処理に関する場合だけではなく、垂直方向の処理についても、この発明による映像信号処理装置が適用可能である。つまり、画面の水平方向において発生するリンギングやモスキートノイズの低減処理のみではなく、画面の垂直方向において発生するモスキートノイズの低減処理についてもこの発明は適用できるものである。
【００９５】
また、上述の構成は、入力映像信号をデジタル映像信号としたデジタル回路の構成としたが、アナログ入力映像信号を対象としたアナログ回路の構成とすることも勿論できる。
【００９６】
また、デジタル入力映像信号を対象とする場合においては、ハードウエアのデジタル回路で上述した映像信号処理装置を構成するのではなく、全ての処理をプログラム化し、そのプログラムを用いて、コンピュータでソフトウエア処理により、処理を実行するようにすることもできる。
【図面の簡単な説明】
【００９７】
【図１】この発明による映像信号処理装置の実施形態の全体の構成例を示すブロック図である。
【図２】図１の構成の一部の回路の入出力特性を説明するための図である。
【図３】デジタルフィルタを説明するための図である。
【図４】ハイパスフィルタの周波数特性を説明するための図である。
【図５】フィルタのタップ数の違いにより発生する不具合を説明するための図である。
【図６】図１の一部の帯域分割回路の、より詳細な構成例を示すブロック図である。
【図７】デジタルフィルタのフィルタ係数の例を示す図である。
【図８】デジタルフィルタのフィルタ係数の例を示す図である。
【図９】デジタルフィルタのフィルタ係数の例を示す図である。
【図１０】デジタルフィルタのフィルタ係数の例を示す図である。
【図１１】図１の回路の一部に用いる非線形変換回路の入出力非線形特性の一例を示す図である。
【図１２】図１の一部の信号低減領域・低減量検出回路の、より詳細な構成例を示すブロック図である。
【図１３】デジタルフィルタのフィルタ係数の例を示す図である。
【図１４】デジタルフィルタのフィルタ係数の例を示す図である。
【図１５】図１２の回路の説明に用いる図である。
【図１６】図１２の回路の説明に用いる図である。
【図１７】図１２の回路の説明に用いる図である。
【図１８】図１２の回路の動作説明に用いる波形図である。
【図１９】図１２の回路の動作説明に用いる波形図である。
【図２０】図１２の回路の他の例の説明に用いる図である。
【図２１】エッジ部近傍のリンギングを説明するための図である。
【図２２】従来のリンギング低減装置の一例を示すブロック図である。
【符号の説明】
【００９８】
２２…帯域分割回路、２３…振幅分割回路、２４，２５…出力制御回路、２７，２８…混合回路、３０…高域成分抽出回路、４０…小振幅部分抽出回路、５０…信号低減領域・低減量検出回路、３０１…タップ数の多いハイパスフィルタ、３０２…タップ数の少ないハイパスフィルタ、３０５…混合回路、３０６…平坦部検出回路、５０１…ハイパスフィルタ、５０２…絶対値化回路、５０３，５０４…非線形変換回路、５０５，５０６…ローパスフィルタ、５０８〜５１２および５１９…遅延回路、５１７…最大値検出回路、５１８…割り算回路
【図１】
2005175743.tif 000003
【図２】
2005175743.tif 000004
【図３】
2005175743.tif 000005
【図４】
2005175743.tif 000006
【図５】
2005175743.tif 000007
【図６】
2005175743.tif 000008
【図７】
2005175743.tif 000009
【図８】
2005175743.tif 000010
【図９】
2005175743.tif 000011
【図１０】
2005175743.tif 000012
【図１１】
2005175743.tif 000013
【図１２】
2005175743.tif 000014
【図１３】
2005175743.tif 000015
【図１４】
2005175743.tif 000016
【図１５】
2005175743.tif 000017
【図１６】
2005175743.tif 000018
【図１７】
2005175743.tif 000019
【図１８】
2005175743.tif 000020
【図１９】
2005175743.tif 000021
【図２０】
2005175743.tif 000022
【図２１】
2005175743.tif 000023
【図２２】
2005175743.tif 000024